(57)【要約】画像素子を備えるエレクトロウェッティング表示デバイスが記載される。画像素子は、第１の支持板および第２の支持板を備える。第１の流体と、この第１の流体と非混和性の第２の流体とを含む間隙が、第１の支持板と第２の支持板との間にある。第１の支持板は、その間隙と接する表示領域であって、その中に第１の流体が収容される、表示領域を含む。表示領域は、その間隙と接する第１の表面を有する。壁が第１の支持板から突出し、表示領域の境界の少なくとも一部に沿って表示領域の外側に形成される。壁は、表示領域に面し、かつ間隙と接する第２の表面を有する。少なくとも第１の部分および第２の部分を含む電極が提供される。電極の第１の部分は、第１の表面に隣接する。電極の第２の部分は、第２の部分の断面の長辺を含む第２の部分の表面が表示領域に面するように第２の表面の少なくとも一部に隣接する。
2015521753.tif 000002
【特許請求の範囲】
【請求項１】
画像素子を備えるエレクトロウェッティング表示デバイスであって、前記画像素子が、
第１の支持板および第２の支持板と、
第１の流体と、前記第１の流体と非混和性の第２の流体とを含む、前記第１の支持板と前記第２の支持板との間の間隙と、を備え、
前記第１の支持板が、
前記間隙と接する表示領域であって、その中に前記第１の流体が収容され、前記間隙と接する第１の表面を有する、表示領域と、
前記第１の支持板から突出して、前記表示領域の境界の少なくとも一部に沿って前記表示領域の外側に形成された壁であって、前記表示領域に面し、かつ前記間隙と接する第２の表面を有する壁と、
少なくとも第１の部分および第２の部分を含む電極であって、前記第１の部分が前記第１の表面に隣接し、前記第２の部分が前記第２の表面の少なくとも一部に隣接し、前記第２の部分の断面の長辺を含む前記第２の部分の表面が、前記表示領域に面する、電極と、を備える、エレクトロウェッティング表示デバイス。
【請求項２】
前記第１の表面および前記第２の表面の少なくとも一区分は、前記第２の流体より前記第１の流体に対してより濡れ性であり、前記電極の前記第２の部分は、前記第２の表面の前記区分の少なくとも一部に隣接する、請求項１に記載のエレクトロウェッティング表示デバイス。
【請求項３】
前記第２の表面の前記区分は、前記電極と前記第２の流体との間の電圧がゼロであるとき、前記第１の流体と前記第２の流体と前記第２の表面との間の界面線まで実質的に延在する、請求項２に記載のエレクトロウェッティング表示デバイス。
【請求項４】
前記電極の前記第２の部分は、前記電極と前記第２の流体との間の電圧がゼロであるとき、前記第１の流体と前記第２の流体と前記第２の表面との間の界面線に隣接する位置まで実質的に延在する、請求項１〜３のいずれかに記載のエレクトロウェッティング表示デバイス。
【請求項５】
前記表示領域の前記境界は、多角形を形成し、前記第２の部分は、前記多角形の１辺の少なくとも一部から延在する第２の表面の一部に隣接する、請求項１〜４のいずれかに記載のエレクトロウェッティング表示デバイス。
【請求項６】
前記表示領域の前記境界は、多角形を形成し、前記第２の部分は、前記多角形の第１の角に隣接する前記多角形の２辺の各々の少なくとも一部から延在する第２の表面の一部に隣接する、請求項１〜５のいずれかに記載のエレクトロウェッティング表示デバイス。
【請求項７】
前記第１の部分は、前記第２の部分の反対側の前記多角形の一部に隣接して配列された穴を備える、請求項５または請求項６に記載のエレクトロウェッティング表示デバイス。
【請求項８】
前記第２の表面および前記電極の第２の部分は、前記表示領域の前記境界の周囲で連続的である、請求項１〜６のいずれかに記載のエレクトロウェッティング表示デバイス。
【請求項９】
前記第１の部分は、前記表示領域の前記境界から離間された前記第１の表面の一部に隣接する位置で穴を備える、請求項８の記載のエレクトロウェッティング表示デバイス。
【請求項１０】
前記第２の支持板は、前記第１の支持板に向かって突出する突起部を備える、請求項１〜９のいずれかに記載のエレクトロウェッティング表示デバイス。
【請求項１１】
前記第２の支持板は、前記第２の支持板から突出する突起部を備え、前記突起部は、前記第１の部分内の前記穴と揃えられる、請求項７または請求項９に記載のエレクトロウェッティング表示デバイス。
【請求項１２】
前記突起部は、前記第１の支持板に接触するように構成される、請求項１０または請求項１１に記載のエレクトロウェッティング表示デバイス。
【請求項１３】
前記突起部は、前記第１の支持板の近くの前記突起部の端部に第３の表面を備え、前記第３の表面が、前記第２の流体より前記第１の流体に対してより濡れ性である、請求項１０〜１２のいずれかに記載のエレクトロウェッティング表示デバイス。
【請求項１４】
前記突起部は、前記第２の支持板の近くの前記突起部の端部に第４の表面を備え、前記第４の表面が、前記第３の表面より前記第１の流体に対してより低い濡れ性である、請求項１３に記載のエレクトロウェッティング表示デバイス。
【請求項１５】
前記壁は、前記第２の支持板に接触するように延在する、請求項１〜１４のいずれかに記載のエレクトロウェッティング表示デバイス。
【請求項１６】
前記壁は、前記表示領域に面する前記側面上に反射部分を備える、請求項１〜１５のいずれかに記載のエレクトロウェッティング表示デバイス。
【請求項１７】
前記電極の前記第２の部分は、前記反射部分を形成する、請求項１６に記載のエレクトロウェッティング表示デバイス。
【発明の詳細な説明】
【技術分野】
【０００１】
本発明は、エレクトロウェッティングデバイスに関し、具体的には、エレクトロウェッティング表示デバイスに関する。
【背景技術】
【０００２】
２つの支持板を含むエレクトロウェッティング表示デバイスは既知である。支持板のうちの１つは、表示デバイスの画像素子を画定する壁のパターンを含む。画像素子の壁間の領域は、表示領域と呼ばれ、その上に表示効果が生じる。
【０００３】
支持板間の間隙は、互いに非混和性の第１および第２の流体を含む。壁の構成は、表示領域内に第１の流体を収容する。表示領域内の支持板内に電極が提供される。電極と第２の流体との間に電圧が提供されない時は、第１の流体は、表示領域上に層を形成する。電圧の印加は、表示効果を提供するために第１および第２の流体の構成を変化させる。
【発明の概要】
【発明が解決しようとする課題】
【０００４】
この表示デバイスに関する問題は、層構成から離れる第１の流体の移動を開始するために比較的高い電圧が必要とされることである。これは、所望の表示効果を引き起こすために必要とされる電力を増加させる。
【課題を解決するための手段】
【０００５】
実施形態のいくつかの部分および構成要素が２つ以上の図に見られ、見やすさのために、同じ参照番号が図のすべてにおける同じ部分および構成要素を参照するために使用される。
図を参照する詳細な実施形態の説明の前に、実施形態が、その説明とともに要約形式で記載される。
【０００６】
一実施形態によれば、画像素子を備えるエレクトロウェッティング表示デバイスが提供され、画像素子は、第１の支持板および第２の支持板と、第１の流体およびこの第１の流体と非混和性の第２の流体を含む、第１の支持板と第２の支持板との間の間隙とを備え、第１の支持板は、間隙と接する表示領域であって、その中に第一の流体が収容され、隙間と接する第一表面を有する、表示領域と、第１の支持板から突出し、表示領域の境界の少なくとも一部に沿って表示領域の外側に形成された壁であって、表示領域に面し、かつ間隙と接する第２の表面を有する壁と、少なくとも第１の部分および第２の部分を含む電極であって、第１の部分が第１の表面に隣接し、第２の部分が第２の表面の少なくとも一部に隣接し、第２の部分の断面の長辺を含む第２の部分の表面が、表示領域に面する、電極とを備える。
【０００７】
第１の流体の移動を開始するために既知の表示デバイスにおいて必要とされる比較的高い電圧は、第２の流体が第１の流体のこの層を打ち破ることを可能にする第１の流体の層にわたる比較的強い電場の必要性によって引き起こされることは十分認識されている。第１の支持板に、第２の部分が第２の表面の少なくとも一部に隣接し、かつ第２の部分の断面の長辺を含む第２の部分の表面が表示領域に面する、少なくとも第１の部分および第２の部分を含む電極を提供することによって、所定の電圧に対して、第１の流体および第２の流体の層間の界面がゼロ印加電圧で壁の第２の表面に接触する位置の近くの電場の強度が増加される。結果として、第１の流体の移動を開始するのにより低い電圧で十分である。したがって、表示領域上の第１の流体の構成は、より低い電圧を用いて変化され得る。
【０００８】
さらに、実施形態では、第１の流体の構成内のヒステリシス効果が減少される。既知のディスプレイでは、このヒステリシス効果は、第１の流体の移動を開始するために必要とされる比較的高い電圧によって引き起こされる。第１の流体の構成が変更されると、より低い電圧が第１の流体の構成を維持するために必要とされる。電極の第２の部分は、移動を開始するために必要とされる電圧を減少させ、それ故に、移動を開始するために必要とされる電圧と、ある特定の構成を維持するために必要とされる電圧との差が減少される。したがって、これは、ヒステリシス効果を減少させる。
【０００９】
第２の部分が第２の表面の少なくとも一部に隣接すると記載される場合、これは、第２の部分が第２の表面の一部からの所定の距離内であること、および第２の表面の該一部の法線に沿って第２の表面の前記部分を突出させることによって形成される容積内に存在することの両方であることを意味する。この所定の距離は、電極と第２の流体との間の電場がディスプレイ上の第１の流体の構成を変化させるのに十分であるように、第２の部分が第２の表面の一部から分離され得る最大距離として画定されてもよい。これは、電極の第２の部分が厚さ５マイクロメートル未満の表面層のみによって第２の表面の一部から分離されることを意味することができる。表面層は、厚さ約０．００５マイクロメートルの単層であってもよい。この場合、表面層は、電極を流体から絶縁し、かつ間隙内の流体への所望の濡れ性を表面に提供する層である。第１の表面に隣接する第１の部分は、対応する意味を有する。
【００１０】
第２の表面の一部に隣接する第２の部分は、電極が第２の表面に対向する壁のさらなる表面より、第２の表面、すなわち、表示領域に面する壁の側面の表面に近いことを意味するように取られてもよい。エレクトロウェッティング表示デバイスが複数の画像素子を備える場合、壁は、２つの隣接する画像素子間に延在してもよく、すなわち、壁の幅は、１つの画像素子の表示領域の境界とさらなる画像素子の表示領域の境界との間の間隔に対応する。このような場合、第２の表面の一部に隣接する第２の部分は、第２の表面から、およびそれに垂直に測定されると、壁の幅の第１の５０％以内であることを示すように取られてもよい。典型的に、電極は、第２の表面に実質的により近く、第２の表面から、およびそれに垂直に測定されると、壁の幅の第１の２５％以内である。
【００１１】
電極の第１および第２の部分は、同じ電圧であるように電気的に接続されることが明らかであろう。したがって、電圧が電極に印加される場合、それは、第１および第２の部分の両方に印加される。第１および第２の部分は、材料の連続層で形成されてもよい。
【００１２】
いくつかの実施形態では、第１の表面および第２の表面の少なくとも一区分は、第２の流体より第１の流体に対してより大きな濡れ性を持ってもよい。電極の第２の部分は、第２の表面の前記区分の少なくとも一部に隣接してもよい。第２の表面の前記区分は、電極と第２の流体との間の電圧がゼロであるとき、第１の流体と第２の流体と第２の表面との間の界面線まで実質的に延在することができる。上記では、第２の表面の区分が界面線まで実質的に延在する場合、これは、この区分が界面線の１マイクロメートル以内に存在することを意味する。この区分は、この界面線を超えて延在することができる。この区分を界面線まで延在することによって、第２の部分上の電圧の変化によって引き起こされた第２の表面の表面エネルギーの変化は増加され、それ故に第１の流体の移動を開始することに役立つ。
【００１３】
いくつかの実施形態では、第２の表面の前記区分は、実質的に壁の高さまで延在することができる。これは、この区分が第１の表面に接触する位置から壁の上部まで実質的に延在し、これは、第２の支持板に最も近く、およびそれに面する壁の表面である。実質的にこの場合では、上記の所定の距離に提供されるものと同じ意味を有し、例えば、この区分は、０．００５〜５マイクロメートルに至るまでの表面層によって壁の上部から分離されるのみであってもよい。いくつかの実施形態では、この区分は、壁の上部のうちの一部を覆うように延在することができる。
【００１４】
いくつかの実施形態では、電極の第２の部分は、電極と第２の流体との間の電圧がゼロであるとき、第１の流体と第２の流体と第２の表面との間の界面線に隣接する位置まで実質的に延在することができる。これは、第２の部分が界面線から上述されるような所定の距離内に存在することを意味する。これらの実施形態では、第２の部分は、壁の高さまで実質的に延在することができる。これは、第２の部分が上述されるような所定の距離によって壁の上部から分離されることを意味する。これは、電極が表面層によってのみ分離されることを意味することができる。
【００１５】
電極の第２の部分を界面線、またの名を三相線まで延在することによって、この界面線における第２の部分と第２の流体との間の電場は、電極に印加された電圧に対して強く、それ故に第１の部分と第２の流体との間の電場に対して強い。この強い電場は、界面線から始めて、第２の流体が第１の流体をより容易に変位させる。その結果として、より低い電圧が第１の流体の移動を開始するのに十分である。電極は、第１の流体から絶縁されてもよい。
【００１６】
いくつかの実施形態では、表示領域の境界は、正方形、矩形、または六角形等の多角形を形成することができる。電極の第２の部分は、多角形の１辺の少なくとも一部から延在する第２の表面の一部に隣接してもよい。あるいは、第２の部分は、多角形の第１の角に隣接する多角形の２辺の各々の少なくとも一部から延在する第２の表面の一部に隣接してもよい。
【００１７】
電極の第２の部分を、多角形の１辺の少なくとも一部から延在する第２の表面の一部に隣接するか、または多角形の第１の角に隣接する多角形の２辺の各々の少なくとも一部から延在する第２の表面の一部に隣接することによって、第１の流体の移動の制御が増加される。これは、第１の流体の移動が第２の部分の近くで開始するためであり、それ故に第１の流体は、所望の位置で始めるより制御された方法で移動する傾向がある。
【００１８】
これらの実施形態では、電極の第１の部分は、第２の部分の反対側の多角形の一部に隣接して配列された穴を備える。穴は、比較的大きい電圧が電極と第２の流体との間に存在するとき、第１の流体のための収集領域として機能を果たすことができる。穴を第２の部分の反対側の多角形の一部に隣接して位置決めされることによって、第２の表面から穴に向かう第１の流体の移動の制御は増加される。
【００１９】
いくつかの実施形態では、第２の表面および電極の第２の部分は、表示領域の境界の周囲で連続的であってもよい。これらの実施形態では、第１の部分は、表示領域の境界から離間された第１の表面の一部に隣接する位置に穴を含むことができる。上記の構成は、表示領域の境界から穴までの第１の流体の制御された移動を可能にし、それ故に第１の流体が壁から離間された表示領域の一部分で集まる表示デバイスを構築されることを可能にする。これの１つの結果は、流体が１つの壁から反対側の壁に移動する実施形態と比較して、第１の流体によって移動された距離が比較的短いことである。これは、ディスプレイの切り替え時間を改善する。
【００２０】
いくつかの実施形態では、第２の支持板は、第１の支持板に向かって突出する突起部を備える。突起部は、電極の第１の部分内の穴と整列されてもよい。突起部は、第１の支持板に接触するように構成されてもよい。第２の支持板内に突起部を提供することによって、ディスプレイは、機械的により堅固にされてもよい。突起部を穴と揃えられることによって、突起部の存在によって引き起こされたディスプレイのコントラストのあらゆる減少が最小化される。加えて、穴は、比較的大きい構成であってよく、すなわち、それは、壁等の他の構成より大きい幅を有することができる。したがって、突起部が適切な領域内の第１の支持板に接触することを確実にするために必要とされる許容差は、突起部が第１の支持板の異なる、より小さい構成に接触するような配列と比較して、弛緩される。
【００２１】
いくつかの実施形態では、突起部は、第１の支持板の近くの突起部の端部に第３の表面を含み、第３の表面は、第２の流体より第１の流体に対してより大きな濡れ性を持つ。加えて、突起部は、第２の支持板の近くの突起部の端部に第４の表面を含み、第４の表面は、第３の表面より第１の流体に対してより低い濡れ性を持つ。これらの特定の濡れ性を壁の表面に提供することによって、第１の流体は、第１の支持板の近くの突起部の部分の近くに優先的に収集することができる。これは、第１の流体の移動の制御を改善するだけではなく、第１の流体が突起部を逆流し、かつ表示領域から逃げることも防ぐ。
【００２２】
いくつかの実施形態では、壁は、第２の支持板に接触するように延在することができる。
【００２３】
いくつかの実施形態では、壁は、表示領域に面する側面上に反射部分を含むことができる。電極の第２の部分は、反射部分を形成することができる。これらの実施形態では、壁は、表示領域から逃げる画像素子に傾いた角度で入射する光の量を減少させるように反射することができる。光は、画像素子内または画像素子の外部の他の反射面によって直接または間接的に、色フィルター等のディスプレイ自体または同じ表示領域に対応するレンズの表示領域または別の光学素子のいずれかに対して、方向転換されてもよい。反射材料は、表示領域内の電極に接続される導電材料で形成されてもよく、それによって壁内の電極の第２の部分としての機能を果たす。光の反射を改善するために、壁の高さは、第２の支持板に接触するように延在されてもよい。
【００２４】
上述されるような壁は、その中に延在する電極の第２の部分を有することが理解されよう。１つ以上のさらなる壁は電極の部分の有無にかかわらず、表示領域の全境界の周囲に存在してもよく、表示領域内に第１の流体を収容するのに役立つ。壁は、湾曲した区分であり、または角で接続された複数の直線区分を含み得ることがさらに理解されよう。
【００２５】
いくつかの実施形態では、壁は、第２の支持板に面するさらなる表面を有し、電極は、さらなる表面に隣接する第３の部分を含み、第３の部分の表面は、第２の支持板に面する第３の部分の断面の長辺を含む。
【図面の簡単な説明】
【００２６】
【図１】表示デバイスの概略図を示す。
【図２Ａ】一実施形態による画像素子の概略図を示す。
【図２Ｂ】一実施形態による画像素子の概略図を示す。
【図２Ｃ】一実施形態による画像素子の概略図を示す。
【図２Ｄ】一実施形態による画像素子の概略図を示す。
【図３Ａ】さらなる実施形態による画像素子の概略図を示す。
【図３Ｂ】さらなる実施形態による画像素子の概略図を示す。
【図３Ｃ】さらなる実施形態による画像素子の概略図を示す。
【図４Ａ】さらなる実施形態による画像素子の概略図を示す。
【図４Ｂ】さらなる実施形態による画像素子の概略図を示す。
【図５Ａ】別の実施形態による画像素子の概略図を示す。
【図５Ｂ】別の実施形態による画像素子の概略図を示す。
【図５Ｃ】別の実施形態による画像素子の概略図を示す。
【図６】さらに別の実施形態による画像素子の概略図を示す。
【図７】一実施形態による壁の詳細図を示す。
【図８】一実施形態による壁の詳細図を示す。
【図９】印加電圧に対する表示領域上の白色領域の割合のプロットを示す。
【発明を実施するための形態】
【００２７】
実施形態によるエレクトロウェッティング表示デバイスの一般的な特性は、図１を参照してここで記載される。
【００２８】
図１は、第１の支持板２および第２の支持板４を備えるエレクトロウェッティング表示デバイス１の略断面を示す。支持板は、シール１０によって接続される。支持板２および４とシール１０との間に間隙１２が存在する。第１の支持板２は、間隙１２に面する第１の表面６を有し、第２の支持板４は、間隙１２に面するさらなる表面８を有する。
【００２９】
間隙１２内には、第１の流体１４および第２の流体１６があり、第１および第２の流体は、互いに非混和性である。第１の流体１４は、非導電性であり、例えば、ヘキサデカンまたは（シリコーン）油等のアルカンであってもよい。第１の流体１４は、不透明、透明、着色、または白色であってもよい。第２の流体１６は、導電性または極性であり、水とエチルアルコールとの混合物中の塩化カリウム溶液等の水または食塩水であってもよい。第２の流体１６は、透明、着色、白色、光吸収性、または光反射性であってもよい。
【００３０】
第１の支持板２の第１の表面６は、複数の表示領域２０を含む。表示領域２０の境界に沿って壁１８が形成される。第１の流体１４の部分が、表示領域２０内の第１の表面６と接し、各部分が壁１８によって所定の表示領域２０内に収容される。壁を含む、各表示領域、表示領域の下および上の支持板の一部は、表示デバイス１内に画像素子を構成する。
【００３１】
それぞれの画像素子と関連付けられた電極（図１に図示せず）は、第１の支持板２内に配列される。これらの電極の位置および配列は、より詳細に後述される。少なくとも１つのさらなる電極が、第２の流体１６と電気接触している。表示デバイス１は、第１の支持板２内の電極とさらなる電極との間に駆動電圧を提供する駆動回路に接続されてもよい。第１の支持板２内の電極と第２の流体１６との間の電圧を変化させることによって、第２の流体１６は、画像素子の電極に引き付けられようにされ、画像素子内の第１の流体１４を変位させることができる。それによって表示効果が表示領域内に生み出され得る。
【００３２】
図２Ａ、２Ｂ、２Ｃ、および２Ｄは、一実施形態による画像素子の平面および断面概略図を示す。図２Ｂは、図２Ａの対角線Ａ−Ａに沿って取られた画像素子の断面図を示す。図２Ａは、図２Ｂの線Ｂ−Ｂに沿って取られた画像素子の平面図を示す。図２Ｃおよび２Ｄは、図２Ｂと同じ図を示し、電圧を電極に印加した際の第１の流体１４の移動を示す。
【００３３】
表示領域２０は、境界２１を有する。表示領域２０の外側および境界２１の少なくとも一部に沿って壁１８が形成される。本明細書に記載されるように、壁１８は、境界２１の周囲に連続的構造を形成し得ることが理解されよう。しかしながら、代替の実施形態では、壁１８は、１つ以上の分離された構造として形成されてもよい。本実施形態の壁１８は、矩形の表示領域２０の角によって分割されないことがさらに明らかであろう。壁１８は、表示領域２０に面する第２の表面１９を有する。
【００３４】
第１の支持板２は、電極２４を備える。この電極の第１の部分２４’’が、第１の表面６に隣接する表示領域２０内に配列される。電極の第２の部分２４’が、壁１８内に延在する。第２の部分２４’は、壁１８の第２の表面１９の一部に隣接して位置決めされる。第２の部分２４’の断面の長辺を含む第２の部分２４’の表面は、表示領域２０に面する。第２の部分２４’は、実質的に平面であってもよく、したがって、これは、電極の２つの主面のうちの１つが表示領域２０に面することを意味するように取られ得ることが明らかであろう。
【００３５】
表示領域２０内では、第１の表面６の少なくとも一区分および第２の表面１９の少なくとも一区分を含む支持板２の表面のうちの少なくとも一部は、第１の流体１４より第２の流体１６に対してより低い濡れ性である材料で形成される。この材料は、網掛け２２によって表される。第１の流体が油および第２の流体の水であるとき、表面材料２２は、疎水性であってもよい。表面材料２２の濡れ性は、好適な材料の選択、表面６および１９の処理、または第１の支持板２上の層の塗布によって得られてもよい。表面材料２２は、例えば、ＡＦ１６００または別の低い表面エネルギーのポリマー等の非晶質フルオロポリマー層によって形成されてもよい。疎水性は、疎水性層が第２の流体に対してそれが有するより第１の流体に対してより高い濡れ性を有するため、第１の流体１４を表面材料２２に優先的に付着させる。
【００３６】
実施形態では、第２の部分２４’および表面材料２２は、ゼロ印加電圧で三相線１５に隣接して存在するように電極２４’に十分な距離を壁１８を上がって延在する。三相線１５は、第１の流体と第２の流体との間の界面が第２の表面１９に接触する線である。ゼロ印加電圧では、第１の流体１４が表示領域上に層を形成すると、三相線１５は、壁１８の上部の近くであってもよい。したがって、現在記載される実施形態等の実施形態では、電極は、壁の高さまで実質的に延在することができる。しかしながら、上記を考慮すると、これは、必ずしもそうではない。壁の上部の絶縁材料は、電極を導電性の第２の流体１６から分離することができる。
【００３７】
第２の支持板４の表面８に面する壁の表面の一部である壁の上部は、表面材料２２と同じ材料であってもよい。しかしながら、表示領域２０内に第１の流体１４を抑制するのに役立つために、壁の上部は、親水性層、例えば、ＳＵ８等のフォトレジスト材料であってもよい。壁の本体はまた、ＳＵ８等の親水性材料で作製されてもよく、その上に電極および表面材料２２の層が形成される。
【００３８】
図２Ａおよび２Ｂの両方では、電極の断面の長辺は、表示領域に面する。この長辺には、参照番号２５が提供される。図２Ａに示される第２の部分２４’の断面では、短辺２５’が表示領域の境界２１に平行な方向に面して示されるが、長辺２５は、表示領域２０に面して示される。それと同時に、図２Ｂに示される第２の部分２４’の断面では、短辺２５’’が第２の支持板４に面して示されるが、長辺２５は、表示領域２０に面して示される。
【００３９】
図２Ａに戻って参照すると、電極の第２の部分２４’は、第１の角に隣接する矩形の表示領域２０の２辺の各々の少なくとも一部から延在する第２の表面１９の一部に隣接する。しかしながら、代替として、壁内の電極の第２の部分２４’は、例えば、矩形の表示領域２０の１辺の一部または全範囲に沿って延在することができる。
【００４０】
電極の第１の部分２４’’は、破線２６によって印を付けられた穴を除いて、第１の表面６に隣接する表示領域２０内に延在する。穴２６は、電極が存在しない表示領域２０の一部を表す。電極２４と第２の流体１６との間に電位差があると、電極の不在により穴２６の領域内の第１の流体上に比較的小さい電場がある。これの効果は後述される。
【００４１】
使用中、壁内に位置する電極の第２の部分２４’を含む電極２４と第２の流体１６との間の電位差は、いろいろである。正または負のいずれかで電位差を増加することによって、第２の流体１６が第１の流体１４を変位させる。ゼロ印加電圧で三相線１５に隣接する壁内の電極の第２の部分２４’を提供することによって、電場の有効磁場強度は、三相線１５で増加される。これによって、第２の流体１６が壁１８を下り、それ故に第１の流体１４をより容易に変位させる。これは、第１の流体１４を変位させるために必要とされる電位差を減少させる。
【００４２】
壁内の第２の部分２４’の効果は、図９に示される。図９は、表示領域２０上の第２の流体１４の割合の範囲に対する電圧のプロットである。より緩やかな曲線４６は、上述されるような実施形態による画像素子の範囲を示す。より急な曲線４８は、第２の部分２４’が壁内に存在しない既知の画像素子の範囲を示す。
【００４３】
第１の流体１４の移動の開始は、壁内の電極による画像素子に対する著しくより低い電圧で生じることが分かり得る。電圧の低下はまた、第１の流体１４の移動におけるあらゆるヒステリシス効果を減少させる効果を有する。
【００４４】
図２Ａおよび２Ｂに示される実施形態では、壁内の電極の第２の部分２４’は、矩形の表示領域２０の角に位置する。これは、印加電圧がゼロ電圧から増加されるとき、第１の流体１４の変位をその角で開始させる。加えて、穴２６は、第１の流体１４に対して比較的誘引性である領域を生じる。壁２４’内の電極、具体的には穴２６と組み合わせた電極は、第１の流体を所定の方向に変位させ、これは、矢印２８によって表される。
【００４５】
第１の流体１４の移動は、図２Ｃおよび２Ｄに示される。図２Ｃは、電圧が電極２４に印加された直後の第１の流体１４の構成を示す。第１の流体１４の移動は、壁１８内の電極２４’の上部に近い三相線で開始された。第２の流体１６と壁内の電極２４’との間の強い電場は、第２の流体１６が電極によって引き付けられ、矢印２７によって示されるように、壁１８を降りさせる。第２の流体１６は、第１の流体１４を変位させ、壁１８内の電極２４’の位置から離れて、かつ矢印２８によって表されるように穴２６に向かって第１の流体を押す。図２Ｄは、図２Ｃより高い電圧が電極２４に存在するときの第１の流体１４の構成を示す。第１の流体１４はここで、穴２６と関連付けられた表示領域２０の一部に収集される。
【００４６】
壁１８内の電極の第２の部分２４’を位置決めすることは、第１の流体１４の移動を開始するために必要とされる電圧を低下させるだけではなく、第１の流体の移動の方向のより正確な制御も可能にする。これは、特に、画像素子のマトリクスで生成されるより一貫した表示効果を可能にする。
【００４７】
図２Ａおよび２Ｂに上述される実施形態の代替の実施形態が、図３Ａ、３Ｂ、および３Ｃを参照してここで記載される。上記の図２Ａおよび２Ｂのように、図３Ａは、平面図を示し、図３Ｂおよび３Ｃは、断面図を示す。図３Ａの視界は、図３Ｂの線Ｄ−Ｄに沿って取られ、図３Ｂの視界は、図３Ａの線Ｃ−Ｃに沿って取られる。図３Ｃは、図３Ｂと同じ視界だが、変位された第１の流体１４を示す。
【００４８】
図３Ａ〜Ｃに示される実施形態では、壁、ここでは参照番号３０’内に延在する電極の第２の部分は、表示領域２０の全境界に沿って延在する。加えて、穴３２が壁のいずれかから離間された位置で電極３０’’の第１の部分に提供される。この特定の実施形態では、穴３２は、表示領域２０の実質的に中央に提供される。
【００４９】
図３Ａ〜Ｄに示される実施形態のように、電極の断面の長辺が表示領域に面する。この長辺には、参照番号３１が提供される。図３Ｂでは、第２の部分３０’の短辺３１’が第２の支持板４に面して示されるが、長辺３１は、表示領域２０に面して示される。
【００５０】
壁１８内の第２の部分３０’および穴３２の効果は、上述されるものに類似する。電圧を印加すると、第１の流体は、第２の部分３０’から、すなわち、画像素子のすべての壁から離れて移動し、穴３２の領域内の画像素子の中央で収縮する。
【００５１】
したがって、第２の部分３０’は、矢印３４によって示されるような穴３２に向かって第１の流体１４の移動の開始を引き起こす。電極が壁内に存在しない配列と比較すると、この実施形態は、流体の移動に対する制御の増加を提供する。図３Ａの画像素子の壁内に電極が存在しない場合、第２の流体１６が最初に第１の流体１４を変位させる点である開始点は、正確に制御され得ない。結果として、第１の流体１４の所望の移動は、それが穴３２と関連付けられた表示領域の一部で収集するように生じ得ない。代わりに、第１の流体１４は、表示領域の縁部に沿って、または角で収集することができる。穴３２と関連付けられた表示領域の一部への第１の流体１４の移動は、図３Ｃに示される。
【００５２】
第３の実施形態が図４Ａおよび４Ｂを参照してここで記載される。図４Ａの視界は、図４Ｂの線Ｆ−Ｆに沿って取られ、図４Ｂの視界は、図４Ａの線Ｅ−Ｅに沿って取られる。さらに、この実施形態は、上述される実施形態と同様に多くの特徴を共有する。この実施形態では、表示領域２０は、４つの別々に駆動可能な電極３６Ａ、３６Ｂ、３６Ｃ、および３６Ｄを備える。各電極は、対応する第１の部分を有し、その中で第１の部分３６Ａ’’および３６Ｂ’’が図４Ｂに示され、第２の部分が壁１８内に延在し、３６Ａ’、３６Ｂ’、３６Ｃ’、および３６Ｄ’と参照されるこれらの部分が図４Ａに示される。図４Ａでは、表示領域内の電極の範囲は、破線によって表される。図４Ａおよび４Ｂに記載される実施形態のように、穴３８が表示領域２０の中央に提供される。
【００５３】
作動中、壁３６Ａ’、３６Ｂ’、３６Ｃ’、および３６Ｄ’内の対応する第２の部分とともに電極３６Ａ、３６Ｂ、３６Ｃ、および３６Ｄの各々には、異なる電圧が提供されてもよい。したがって、この実施形態は、４つの電極に対応して、表示領域２０内に４つの区域を提供することができ、その上に表示効果が少なくとも部分的に独立して制御され得る。各区域は、例えば、各区域内に異なる色フィルターを提供することによって、異なる表示効果を提供することができる。
【００５４】
係る実施形態では、第２の部分３６Ａ’、３６Ｂ’、３６Ｃ’、および３６Ｄ’は、表示領域の角で提供されてもよい。これは、所定の表示区域に対する第１の流体１４の移動の開始点が可能な限り他の表示区域から離れて分離されることを確実にする。これは、区域間のあらゆる干渉を減少させ、区域の各々における表示効果の独立を最大化する。壁内に電極がない場合、開始点は、そのように容易に制御され得ず、１つの区域の移動は、例えば、表示領域の中央で開始し得、それによって表示領域内のすべての他の区域に影響を与える。
【００５５】
第４の実施形態が図５Ａ、５Ｂ、および５Ｃに示される。図５Ａの視界は、図５Ｂの線Ｈ−Ｈに沿って取られ、図５Ｂの視界は、図５Ａの線Ｇ−Ｇに沿って取られる。図５Ｃは、図５Ｂと同じ視界を示し、電極に電圧を印加する際の第１の流体１４の移動を示す。この実施形態は、壁内の電極の第２の部分３０’が表示領域２０の境界の周囲に延在するという点において図３Ａおよび３Ｂに示される実施形態に類似する。図３Ａおよび３Ｂと同様に、電極は、参照番号３０によって示され、電極の第１の部分は、参照番号３０’’で示され、壁内の電極の第２の部分は、参照番号３０’によって示される。穴３２は、電極３０内、壁から離間され、かつこの実施形態では、表示領域２０の中央に提供される。
【００５６】
加えて、第２の支持板４は、第１の支持板２に向かって延在する突起部４２を備える。突起部４２は、穴３２と揃えられる（整列される）。突起部４２は、第１の支持板２の表面６に接触することができ、あるいは、表面６から離間されてもよい。突起部４２の表面は、疎水性もしくは親水性または両方の組み合わせであってもよい。図示される実施形態では、突起部４２は、疎水性である第１の支持板２の近くに第３の表面４１と、親水性である第２の支持板４に近い第４の表面４３とを有する。
【００５７】
いくつかの状況では、例えば、ユーザが表示デバイスに圧力をかけると、第１および第２の支持板２，４は、ともに押し付けられ、加圧領域の近くの間隙の寸法を減少させる。これは、特に、第２の流体１６内で伝搬する波を引き起こし、所定の表示領域２０内の第１の流体１４の一部分を隣接する表示領域に押し付けることができる。これは、表示された画像の品質に悪影響を及ぼし得る。突起部４２は、ディスプレイの機械的堅牢性を増加させ、具体的には、突起部４２は、間隙１２が加圧下で寸法が減少され得る量を減少させる。したがって、これは、上述される悪影響の可能性が生じることから減少させる。
【００５８】
加えて、突起部４２が穴３２と揃えられるため、突起部４２は、第１の流体１４が常に存在する位置に位置する。したがって、突起部４２の使用は、突起部４２が第１の流体１４の切り替え可能な範囲を有する表示領域の一部分内に配置されないため、表示デバイスによって提供され得るコントラストに最小限の効果を及ぼす。これは、図５Ｃに示され、第１の流体１４は、突起部４２の周囲に収集されて示される。
【００５９】
上述されるような突起部４２の使用は、電極が壁１８内に提供される実施形態に特に適していて、穴３２は、壁１８から離間されて提供される。これは、突起部４２を壁１８から離間された地点で表示領域に接触させることによって、第１および第２の支持板２，４を揃えることに使用される許容差が弛緩され得るためである。
【００６０】
突起部４２の表面材料は、第１の流体１４が第２の支持板４の近くの端部よりも第１の支持板２の近くの突起部４２の端部で収集するように選択されてもよい。これを達成するために、第１の支持板２の近くの突起部４２の端部における表面材料は、疎水性である表示領域内に存在する表面材料２２と同じまたは類似であってもよい。それと同時に、第２の支持板４の近くの突起部４２の端部における表面材料は、親水性であってもよい。突起部４２の表面の特性は、突起部４２の全体または一部の選択的表面処理によって達成されてもよい。あるいは、突起部４２を構築するために使用される材料は、突起部４２に適切な特性を付与するために選択されてもよい。突起部４２は、ディスプレイの光学特性を高めるように反射性または光吸収性であってもよい。いくつかの実施形態では、下部もしくは上部または両方は、反射性または光吸収性であってもよい。
【００６１】
上述される実施形態では、電極は、アルミニウムまたは銀等の別の高反射金属で作製されてもよい。あるいは、インジウムスズ酸化物（ＩＴＯ）の透明導電体が使用されてもよい。具体的には、ＩＴＯは、塗布が透過、透明、または半透過の表示デバイスなどで高い光の透過率を必要とする場合に使用される。しかしながら、ＩＴＯが表示領域内の導電体として使用される表示デバイスの場合であっても、いくつかの実施形態では、側面電極は、金属等の反射性材料から作製されてもよい。そのようにする利益は、図６に示される。
【００６２】
エレクトロウェッティングディスプレイに関する１つの問題は、第１の支持板２と第２の支持板３との間の間隙が比較的大きいことである。したがって、色フィルターまたはレンズ配列が第２の支持板４上に位置決めされ、かつこれらの素子の各々が表示領域２０とともに画素を形成する場合、１つの画素から隣接する画素に移る非ゼロ角度で入射するかなりの量の光があり得、それによって画素間の光クロストークを引き起こす。クロストークの量を減少させるために、側壁内の電極は、表示領域２０に面する壁の側面内に反射部分を提供するように反射性にされてもよい。したがって、所定の表示領域と関連付けられたより多くの光は、表示領域内に保たれる。この反射壁の使用は、より高い壁、すなわち、間隙１２の中にさらに延在する壁を用いて組み合わせられてもよい。これは、収容効果を最大にする。
【００６３】
図６は、図３Ｂに示されるものと類似の断面を示す。図６では、壁１８は、第２の支持板４に接触するように延在する。これは、反射面、それ故に画像素子の光収容効果を増加させる。画像素子は、表示領域が第２の支持板４を通って入射する光を反射するという点において反射型である。第１の流体１４は、穴３２で収縮された。矢印５０は、ディスプレイに入る入射光を示す。光は、矢印５２によって示されるディスプレイ地域に、その後、画素壁内の反射電極３０’に反射される。したがって、光は、矢印５４によって示されるように、表示領域２０と関連付けられたディスプレイの領域内に保たれる。比較のために、破線矢印５６は、いかに光が反射壁の効果なしに隣接する表示領域２０Ｂの中に入ったかを示す。
【００６４】
図７は、壁１８の接近図を示す。壁１８は、２つの隣接する画像素子Ａと画像素子Ｅとの間に配列される。各画像素子は、例えば、図３に上述されるような構成を有し、各構成には、同じ参照番号が提供され、第１の画像素子に接尾辞Ａまたは第２の画像素子に接尾辞Ｅが提供される。
【００６５】
図７では、各画像素子ＡおよびＥは、壁１８内に第２の部分３０Ａ’および３０Ｅ’を有する。これらの第２の部分３０Ａ’および３０Ｅ’は、壁１８のそれぞれの表面１９Ａおよび１９Ｅに隣接する。第２の部分３０Ａ’および３０Ｅ’は、表面材料２２Ａおよび２２Ｅの層によってのみ間隙１２から分離される。これは、第２の部分と第１および第２の流体との間の間隙１２を最小化するにつれて、第２の部分の効果を増加させる。
【００６６】
図７では、さらなる表面層５８が、第２の支持板４に面する壁１８の端部である壁１８の上部に示される。この表面層５８は、表面材料２２とは異なる濡れ性を有することができる。例えば、表面層５８は、親水性であってもよく、表面材料２２は、疎水性である。表面層５８はまた、第２の支持板４に最も近い電極の端部である電極の第２の部分の上部を第１の流体１４から絶縁するのに役立つことができる。
【００６７】
分かり得るように、電極３０Ａ’および３０Ｅ’の第２の部分ならびに表面材料２２Ａおよび２２Ｅを含む第２の表面１９Ａおよび１９Ｅの部分の両方は、壁１８の高さまで実質的に延在し、層５８のみによって壁の最上部から分離される。しかしながら、壁１８の表面材料の構成は、ここで示されるようである必要がなく、表面材料２２は、壁１８の上部に延び得ることが理解されよう。あるいは、表面層５８は、表面１９Ａのさらに下方、すなわち、壁の側面の下方の少なくとも一部に延在することができる。
【００６８】
断面は、電極の第２の部分３０Ａ’および３０Ｅ’を示す。第２の部分３０Ａ’および３０Ｅ’の断面の長辺は、図示されるように、表示領域Ａの場合、矢印６０によって表示領域２０Ａおよび２０Ｅに面することが明らかである。第２の部分３０Ａ’および３０Ｅ’は、矢印６０に平行な線に沿って第２の表面１９Ａおよび１９Ｅを突出させることによって生じる体積内であり、この線は、表面１９Ａおよび１９Ｅに垂直であるか、またはそれらの法線であることがさらに明らかである。
【００６９】
壁１８の幅ｗは、矢印６２によって示される。壁１８が表示領域の境界に沿って形成されると、壁１８の幅は、隣接する画像素子の表示領域、この場合、表示領域２０Ａおよび２０Ｅの縁部間の距離である。さらなる矢印６４は、表面１９Ａから、０．２５ｗ、すなわち、壁の幅の２５％の距離を特定する。電極の第２の部分は典型的に、表面１９Ａに実質的により近いことが明らかであるが、この距離は、電極が壁内に提供され得る上限と見なされてもよい。電極がこの距離内にあるときには、電極は、電極から離れて第１の流体の移動を開始する所望の効果を提供することができるように壁の側面に十分に近い。
【００７０】
したがって、上記の配列は、電極の一部分が壁１８内に存在する画像素子と一体であるような既知のエレクトロウェッティング表示デバイスと対比され得る。しかしながら、既知のデバイスの壁内の電極は、本実施形態のように、表面１９に隣接することもなく、上述されるディスプレイに面する第２の部分の断面の長辺を含む表面も有しないことに留意されよう。代わりに、既知のデバイスでは、この部分の断面の長辺を含む壁内の電極の部分の表面は、表示領域に向かうというよりも表示領域の境界に平行である方向に面する。したがって、既知のデバイスでは、壁内の電極の部分は、第１の流体が壁内の電極の部分に向かって引き付けられ、かつその近くに収集されるため、所望の表示効果をもたらすことができない。
【００７１】
上述される実施形態では、画像素子の第１の表面６は、実質的に平ら、すなわち、同じ平面上にある。いくつかの既存の画像素子は、平らでない第１の表面６を有し得る。例えば、第１の表面６は、異なる高さ、およびそれらの間の垂直または実質的に垂直な断面で第１および第２の層を有するように形成されてもよい。さらに、電極は、これらの２つ層上、およびそれらの間の垂直な断面上の第１の表面に隣接して存在してもよい。
【００７２】
しかしながら、これらの既存の画像素子では、層および垂直な断面はすべて、表示領域内に含まれることが明らかであろう。すなわち、それらは、第１の流体が収容される領域内に収容される。対照的に、上述される第２の部分は、表示領域の境界の外側およびそれに沿って形成された壁の一部に存在し、第１の流体は、表示領域内に拘束される。したがって、このような平らではない表示領域の構築および効果は、本明細書に記載される実施形態とは異なることが明らかであろう。
【００７３】
いくつかの既存のエレクトロウェッティングデバイスは、上述される第２の表面と同等のものに隣接して表示領域の側壁内に配列され、かつ第２の部分の断面の長辺を含む電極の表面が表示領域に面するように配列された電極を有する。しかしながら、このようなデバイスは、表示領域の基部に隣接し、すなわち、上述されるような第１の表面に隣接する電極の部分を全く有しない。
【００７４】
さらに、表示領域の基部内に電極を有する既知のエレクトロウェッティングデバイスと壁内に電極を有する既知のエレクトロウェッティングデバイスとの組み合わされた教示は、本明細書に記載される実施形態をもたらさないことが明らかであろう。代わりに、この組み合わせは、表示領域の基部内の電極と、壁内の別の電極と、２つの電極間の間隙とを有するエレクトロウェッティングデバイスを教示すると見なされてもよい。この間隙は、第１の流体のための収集領域を形成し、これは、表示デバイスの動作に悪影響を及ぼす。本明細書に記載される実施形態は、基部内の電極と壁内の電極との間に間隙を有しない。
【００７５】
図８はまた、壁１８の接近図を示し、さらなる実施形態による電極の一配列を示す。図８は、図７に示される構成の多くを示す。これらの構成は、同じ参照番号を有し、ここでは詳細に記載されない。
【００７６】
上記の図７のように、電極３０Ａおよび３０Ｅは、第１の部分３０Ａ’’および３０Ｅ’’、第２の部分３０Ａ’および３０Ｅ’をそれぞれ有する。加えて、電極は、第３の部分３０Ａ’’’および３０Ｅ’’’を有する。これらの第３の部分３０Ａ’’’、３０Ｂ’’’は、第２の支持板４の表面８に面する壁の一部分内に延在する（図８に図示せず）。換言すれば、所定の第３の部分の場合、第３の部分（３０Α’’’、３０Ｅ’’’）の断面の長辺（６８Ａ、６８Ｅ）を含む第３の部分の表面は、第２の支持板４の表面８に面する。第３の部分に隣接して、ここで３０Ａ’’’および３０Ｅ’’’は、間隙６６によって示されるように分離されてもよい。これは、表示領域の独立した切り替えを可能にするように互いに電気的に絶縁される。加えて、第３の部分（３０Α’’’、３０Ｅ’’’）は分離され、したがって、表面層５８によって第２の流体１６から絶縁される。
【００７７】
電極を壁１８の上部に沿って延在することによって、すなわち、第３の部分を提供することによって、電極は、間隙１２内の第２の流体１６と容量的に結合することができる。容量結合から生じる静電容量は、省略されるか、または少なくとも寸法が減少され得る電極上の電荷を維持するために使用される任意のコンデンサを可能にする。あるいは、静電容量は、全静電容量を増加させるために使用され得る。
【００７８】
第３の部分の配列は、ディスプレイの所望の構成に応じて適合されてもよい。それと同時に、壁の異なる部分の場合、電極の構成または電極は異なってもよい。例えば、壁１８の所定の区分は、２つの電極（ここでは３０Ａおよび３０Ｅ）からの第２の部分（３０Ａ’および３０Ｅ’として図示）を有することができる。このような配列では、対応する第３の部分（３０Ａ’’’および３０Ｅ’’’）は両方とも、図８に示されるように、第２の支持板４の表面８に面する壁の部分内に延在することができる。
【００７９】
代替の実施形態または壁の異なる部分では、１つの電極の第３の部分は、隣接する電極の第３の部分が完全に省略され得る範囲において、隣接する電極の第３の部分より実質的に大きくてもよい。例えば、電極３０Ｅの第３の部分３０Ｅ’’’は省略されてもよい。係る実施形態では、電極３０Ａの第３の部分３０Ａ’’’は、電極を分離するために必要とされる任意の絶縁間隙（すなわち、間隙６６）を除いて、壁の幅にわたって延在することができる。この後者の配列は、図２に示される実施形態等において電極３０Ｅの第２の部分３０Ｅ’が省略される場合に使用されてもよい。
【００８０】
実施形態では、第２の支持板４の表面８に面する壁の表面層５８は、第２の支持板４の表面８の平面と平行でなくてもよく、例えば、湾曲してもよい。このような場合、電極の第３の部分は、第２の支持板４の表面８と平行である必要がないが、第２の支持板４の表面８に単に面してもよい。
【００８１】
図８は、図３のものと類似の電極の配列を示すが、上述されるような第３の部分は、他の図のいずれかを参照して上述される実施形態のいずれかに提供されてもよい。
【００８２】
上述される表示デバイス等の表示デバイスの関連部分を構築するための過程のステップがここで記載される。この過程は、主な構造的特徴のためのＳＵ８、電極のためのインジウムスズ酸化物（ＩＴＯ）、および表面材料２２のためのＡＦ１６００を用いて記載される。しかしながら、他の好適な材料が使用され得ることが明らかであろう。
【００８３】
図３などで周囲の表示領域の全境界の周囲に形成された第１の壁、すなわち、電極の第２の部分を含む壁を有する構成の場合、以下のステップが使用され得る。
【００８４】
１．ＳＵ８を第１の支持板の基板上に堆積し、
２．フォトリソグラフィー過程をＳＵ８に実施して、表示領域の境界上に形成された壁を画定し、
３．ＩＴＯを表示領域上および表示領域に面する壁の側面上に堆積し、ＩＴＯはまた、第２の支持板に面する表面上である壁の上部に堆積されてもよく、
４．パターン形成過程をＩＴＯに実施して、ＩＴＯを画素壁の上部から取り除き、穴を形成し、
５．疎水性材料（ＡＦ１６００）を、表示領域および穴領域に面する壁の側面を含む完全な基板の上部に堆積する。
【００８５】
上記過程は、電極３０’の第２の部分が壁の高さまで実質的に延在する表示デバイスを形成する。さらに、この過程では、図７に示されるような表面層５８は、壁および表示領域の表面を形成する表面材料２２と同様に、ＡＦ１６００である。
【００８６】
いくつかの実施形態では、表面層５８は、ＡＦ１６００でなくてもよい。したがって、参照番号５８を付与された領域内に堆積された任意のＡＦ１６００は、反応性イオンエッチング、プラズマ処理、または深紫外線によって取り除かれてもよい。
【００８７】
個別の第１の壁を有する構成、すなわち、第１の壁が図２および４に示されるような表示領域の完全な境界を形成しない場合、２つの別個のＳＵ８の堆積ステップがある。表示デバイスを構築する手順は、次の通りであってもよい。
【００８８】
１．ＳＵ８を第１の支持板の基板上に堆積し、
２．フォトリソグラフィー過程をＳＵ８に実施して、壁（例えば、高さおよび位置）を画定し、
３．ＩＴＯを表示領域上および表示領域の側面への壁上に堆積し、ＩＴＯはまた、第２の支持板に面する表面上である壁の上部に堆積されてもよく、
４．パターン形成過程をＩＴＯに実施して、ＩＴＯを画素壁の上部から、必要とされる場合に側壁から取り除き、穴を形成し、
５．疎水性材料（ＡＦ１６００）を、壁および穴領域を含む完全な基板の上部に堆積し、
６．反応性イオンエッチング（ＲＩＥ）等のエッチング過程をＡＦ１６００層に実施して、さらなるＳＵ８堆積に対して特定の位置を活性化し、
７．ＳＵ８を第１の支持板の基板上に堆積し、
８．第２のフォトリソグラフィー過程をＳＵ８に実施して、第２の画素壁を画定し、
９．ＡＦ疎水性を戻すようにリフローし、ＳＵ８をハードベークする。
【００８９】
上記説明では、表示領域は、矩形であると記載された。任意の特定の多角形が表示領域に使用され得ることが理解されよう。加えて、実施形態は、例えば、７つの区分のディスプレイにおける７つの素子のうちの１つとして、円形、菱形、およびディスプレイに使用され得る任意のカスタマイズされた形状等の表示領域の他の形状に適用可能であることが明らかであろう。
【００９０】
表示領域は、一方の端部に位置決めされた電極の第２の部分と、もう一方の端部に位置決めされた第１の部分における穴とを有する細長い形状を有してもよい。この配列は、表示領域上の第１の流体の範囲のより正確な制御を提供する。したがって、より制御可能な表示効果が達成され得る。あるいは、表示領域は、一方の側面の大部分に沿って位置決めされた電極の第２の部分と、他方の側面に沿って存在する穴とを有して細長くてもよい。この配列では、表示効果は、より迅速に変化され得る。
【００９１】
図６に示される実施形態では、壁は、第２の支持板４に接触するように延在する。このような配列は、上述される他の実施形態のいずれかとともに使用され得ることが理解されよう。
【００９２】
本明細書に参照される図は図式的であり、特徴の寸法および形状は、実施形態に見られるとき、特徴を表すよりも見やすさによって決定付けられることが理解されよう。
【００９３】
上記の実施形態は、例示的な実施例として理解されるべきであり、そのさらなる実施形態が想定される。任意の一実施形態との関連で記載されるあらゆる特徴が単独または記載される他の特徴と組み合わせて使用され得、同様に任意の他の実施形態の１つ以上の特徴、または任意の他の実施形態の任意の組み合わせと組み合わせて使用され得ることが理解されるべきである。さらに、添付の特許請求の範囲の範囲から逸脱することなく、上述されない等価物および修正も利用され得る。
【図１】
2015521753.tif 000003
【図２Ａ】
2015521753.tif 000004
【図２Ｂ】
2015521753.tif 000005
【図２Ｃ】
2015521753.tif 000006
【図２Ｄ】
2015521753.tif 000007
【図３Ａ】
2015521753.tif 000008
【図３Ｂ】
2015521753.tif 000009
【図３Ｃ】
2015521753.tif 000010
【図４Ａ】
2015521753.tif 000011
【図４Ｂ】
2015521753.tif 000012
【図５Ａ】
2015521753.tif 000013
【図５Ｂ】
2015521753.tif 000014
【図５Ｃ】
2015521753.tif 000015
【図６】
2015521753.tif 000016
【図７】
2015521753.tif 000017
【図８】
2015521753.tif 000018
【図９】
2015521753.tif 000019
【国際調査報告】
2015521753.tif 000020
2015521753.tif 000021